(57)【特許請求の範囲】
【請求項１】
テレビジョン放送信号とこのテレビジョン放送信号に多重化されて送られてくる印刷に関するデータをテレビジョン放送受信部が受信し、前記印刷に関するデータを解析し、その解析結果に基づいて、テレビジョンモニタ上に印刷対象データの存在を示す情報を表示し、ユーザからの印刷指示を受けると、前記印刷対象データをプリンタを用いて印刷するテレビジョン放送多重化データ印刷方法において、
前記テレビジョン放送受信部は、
多重化されて送られてくるテレビジョン放送信号と印刷に関するデータとを分離するとともに、プリンタが接続されているか否かを検出し、プリンタが接続されていることを検出すると、前記印刷に関するデータを解析し、印刷対象データの存在を示す情報と印刷対象データを得て、その印刷対象データの存在を示す情報を前記テレビジョン放送信号に合成して前記テレビジョンモニタに出力し、ユーザからの印刷指示を受けると、前記印刷対象データを前記プリンタに出力することを特徴とするテレビジョン放送多重化データ印刷方法。
【請求項２】
テレビジョン放送信号とこのテレビジョン放送信号に多重化されて送られてくる印刷に関するデータをテレビジョン放送受信部が受信し、前記印刷に関するデータを解析し、その解析結果に基づいて、テレビジョンモニタ上に印刷対象データの存在を示す情報を表示し、ユーザからの印刷指示を受けると、前記印刷対象データをプリンタを用いて印刷するテレビジョン放送多重化データ印刷方法において、
前記テレビジョン放送受信部は、多重化されて送られてくるテレビジョン放送信号と印刷に関するデータとを分離して、印刷に関するデータを前記プリンタ側に渡し、
プリンタ側では、前記テレビジョン放送受信部により渡された印刷に関するデータを解析し、印刷対象データの存在を示す情報と印刷対象データを得て、前記印刷対象データの存在を示す情報を前記テレビジョン放送信号に合成して前記テレビジョンモニタに出力し、ユーザからの印刷指示を受けると、前記印刷対象データを印刷処理することを特徴とするテレビジョン放送多重化データ印刷方法。
【請求項３】
テレビジョン放送信号とこのテレビジョン放送信号に多重化されて送られてくる印刷に関するデータをテレビジョン放送受信部が受信し、前記印刷に関するデータを解析し、その解析結果に基づいて、テレビジョンモニタ上に印刷対象データの存在を示す情報を表示し、ユーザからの印刷指示を受けると、前記印刷対象データをプリンタを用いて印刷するテレビジョン放送多重化データ印刷システムにおいて、
前記テレビジョン放送受信部は、
多重化されて送られてくるテレビジョン放送信号と印刷に関するデータとを分離する多重分離部と、
プリンタが接続されているか否かを検出するプリンタ接続検出部と、
ユーザからの印刷指示を受け付ける印刷指示受信部と、
前記プリンタ接続検出部の検出結果を基にプリンタが接続されていることを認識すると前記印刷に関するデータを解析し、印刷対象データの存在を示す情報と印刷対象データを得る印刷データ解析部と、
この印刷データ解析部によって得られた印刷対象データの存在を示す情報と前記多重分離部で分離されたテレビジョン放送信号とを合成する合成部と、
この合成部からの映像データをテレビジョンモニタに出力する映像出力部と、
前記印刷データ解析部からの印刷対象データを受けるとプリンタに対し印刷制御を行うプリンタ制御部と、
を有したことを特徴とするテレビジョン放送多重化データ印刷システム。
【請求項４】
テレビジョン放送信号とこのテレビジョン放送信号に多重化されて送られてくる印刷に関するデータをテレビジョン放送受信部が受信し、前記印刷に関するデータを解析し、その解析結果に基づいて、テレビジョンモニタ上に印刷対象データの存在を示す情報を表示し、ユーザからの印刷指示を受けると、前記印刷対象データをプリンタを用いて印刷するテレビジョン放送多重化データ印刷システムにおいて、
前記テレビジョン放送受信部は、少なくとも、テレビジョン放送信号と印刷に関するデータとを分離する多重分離部を有し、この多重分離部で分離した印刷に関するデータをプリンタ側に渡し、
前記プリンタは、
ユーザからの印刷指示を受け付ける印刷指示受信部と、
前記テレビジョン放送受信部により渡された印刷に関するデータを解析し、印刷対象データの存在を示す情報と印刷対象データを得る印刷データ解析部と、
この印刷データ解析部によって得られた印刷対象データの存在を示す情報と前記多重分離部で分離されたテレビジョン放送信号とを合成する合成部と、
この合成部からの映像データをテレビジョンモニタに出力する映像出力部と、
前記印刷データ解析部からの印刷対象データを受けると印刷処理を行う印刷処理部と、
を有したことを特徴とするテレビジョン放送多重化データ印刷システム。
【請求項５】
テレビジョン放送信号とこのテレビジョン放送信号に多重化されて送られてくる印刷に関するデータをテレビジョン放送受信部が受信し、前記印刷に関するデータを解析し、その解析結果に基づいて、テレビジョンモニタ上に印刷対象データの存在を示す情報を表示し、ユーザからの印刷指示を受けると、前記印刷対象データをプリンタを用いて印刷するテレビジョン放送多重化データ印刷処理プログラムを記録した記録媒体であって、そのテレビジョン放送多重化データ印刷処理プログラムは、
前記テレビジョン放送受信部において、
前記多重化されたテレビジョン放送信号と印刷処理データとを受信すると、これらのデータを分離する手順と、
プリンタが接続されているか否かを検出し、プリンタが接続されていることを検出すると、前記印刷に関するデータを解析し、印刷対象データの存在を示す情報と印刷対象データを得る手順と、
これにより得られた印刷対象データの存在を示す情報を前記テレビジョン放送信号に合成して前記テレビジョンモニタに出力する手順と、
ユーザからの印刷指示を受けると、前記印刷対象データをプリンタに出力する手順と、
を含むことを特徴とするテレビジョン放送多重化データ印刷処理プログラムを記録した記録媒体。
【請求項６】
テレビジョン放送信号とこのテレビジョン放送信号に多重化されて送られてくる印刷に関するデータをテレビジョン放送受信部が受信し、前記印刷に関するデータを解析し、その解析結果に基づいて、テレビジョンモニタ上に印刷対象データの存在を示す情報を表示し、ユーザからの印刷指示を受けると、前記印刷対象データをプリンタを用いて印刷するテレビジョン放送多重化データ印刷処理プログラムを記録した記録媒体であって、そのテレビジョン放送多重化データ印刷処理プログラムは、
前記テレビジョン放送受信部においては、
前記多重化されたテレビジョン放送信号と印刷処理データとを受信すると、テレビジョン放送信号と印刷に関するデータとを分離して、印刷に関するデータを前記プリンタ側に出力する手順を含み、
プリンタ側においては、
前記テレビジョン放送受信部から渡された印刷に関するデータを解析し、印刷対象データの存在を示す情報と印刷対象データを得る手順と、
これにより得られた前記印刷対象データの存在を示す情報を前記テレビジョン放送信号に合成して前記テレビジョンモニタに出力する手順と、
ユーザからの印刷指示を受けると、前記印刷対象データを印刷処理する手順と、
を含むことを特徴とするテレビジョン放送多重化データ印刷処理プログラムを記録した記録媒体。
【発明の詳細な説明】
【０００１】
【発明の属する技術分野】
本発明は、テレビジョン放送信号に多重化されたデータを印刷可能とするテレビジョン放送多重化データ印刷方法及びシステム並びにテレビジョン放送多重化データ印刷処理プログラムを記録した記録媒体に関する。
【０００２】
【従来の技術】
テレビジョン（以下、ＴＶという）放送電波（衛星放送あるいは地上波）に様々なデータを多重化して、視聴者側のＴＶシステムに送信し、視聴者（ユーザという）の必要とするデータをＴＶに接続されたプリンタによってプリントアウトする構想はすでに提案されている。具体的な例としては、たとえば、何らかの商品をＴＶ画面上に映し出し、それに対するデータ（商品に関する詳細な内容が示されたカタログ的な内容など）をプリントアウトするというものである。
【０００３】
たとえば、前述した何らかの商品に関するデータをプリントアウトする例について考えると、その商品をＴＶモニタ上に映し出すとともに、その商品に関する印刷対象データが存在すること示す情報を表示し、ユーザはその表示を見て、詳細なデータを必要とした場合、印刷指示を入力する。これにより、その商品に関する詳細なデータがプリントアウトされる。
【０００４】
【発明が解決しようとする課題】
しかしながら、すべてのユーザが自己のＴＶシステムにプリンタを接続しているとは限らない。プリンタを接続していないユーザにとって見れば、ＴＶ画面上にいちいち印刷データが存在する旨の表示がなされるのは煩わしく感じるものであり、あまり頻繁に印刷データが存在する旨の表示がなされると不快感を感じるユーザも多いと思われる。さらに、プリンタを持たないユーザに対してプリンタの購入を暗に促すようなことにもなり、あまり好ましいものではない。
【０００５】
これに対処するために、ＴＶ放送電波の発信元で、ユーザ側のシステムの状態（プリンタがあるか否かなど）を把握して、それに対応した放送内容を作成して送信することも考えられるが、不特定多数のユーザすべてのシステム構成を把握した放送内容を作成するのは、コストの面から考えても実現性はきわめて低いものとなる。
【０００６】
そこで本発明は、ユーザ側のＴＶシステムにてプリンタの有無を判断し、プリンタが接続されている場合に限って、印刷対象データの存在をＴＶモニタ上に表示するとともに、ユーザからの印刷指示入力の受け付けを可能とすることを目的とする。
【０００７】
【課題を解決するための手段】
前述の目的を達成するために、請求項１に記載のＴＶ放送多重化データ印刷方法は、ＴＶ放送信号とこのＴＶ放送信号に多重化されて送られてくる印刷に関するデータをＴＶ放送受信部が受信し、前記印刷に関するデータを解析し、その解析結果に基づいて、ＴＶモニタ上に印刷対象データの存在を示す情報を表示し、ユーザからの印刷指示を受けると、前記印刷対象データをプリンタを用いて印刷するＴＶ放送多重化データ印刷方法において、前記ＴＶ放送受信部は、多重化されて送られてくるＴＶ放送信号と印刷に関するデータとを分離するとともに、プリンタが接続されているか否かを検出し、プリンタが接続されていることを検出すると、前記印刷に関するデータを解析し、印刷対象データの存在を示す情報と印刷対象データを得て、その印刷対象データの存在を示す情報を前記ＴＶ放送信号に合成して前記ＴＶモニタに出力し、ユーザからの印刷指示を受けると、前記印刷対象データを前記プリンタに出力するようにしている。
【０００８】
また、請求項２に記載のＴＶ放送多重化データ印刷方法は、ＴＶ放送信号とこのＴＶ放送信号に多重化されて送られてくる印刷に関するデータをＴＶ放送受信部が受信し、前記印刷に関するデータを解析し、その解析結果に基づいて、ＴＶモニタ上に印刷対象データの存在を示す情報を表示し、ユーザからの印刷指示を受けると、前記印刷対象データをプリンタを用いて印刷するＴＶ放送多重化データ印刷方法において、 前記ＴＶ放送受信部は、多重化されて送られてくるＴＶ放送信号と印刷に関するデータとを分離して、印刷に関するデータを前記プリンタ側に渡し、プリンタ側では、前記ＴＶ放送受信部により渡された印刷に関するデータを解析し、印刷対象データの存在を示す情報と印刷対象データを得て、前記印刷対象データの存在を示す情報を前記ＴＶ放送信号に合成して前記ＴＶモニタに出力し、ユーザからの印刷指示を受けると、前記印刷対象データを印刷処理するようにしている。
【０００９】
また、請求項３に記載のＴＶ放送多重化データ印刷システムは、ＴＶ放送信号とこのＴＶ放送信号に多重化されて送られてくる印刷に関するデータをＴＶ放送受信部が受信し、前記印刷に関するデータを解析し、その解析結果に基づいて、ＴＶモニタ上に印刷対象データの存在を示す情報を表示し、ユーザからの印刷指示を受けると、前記印刷対象データをプリンタを用いて印刷するＴＶ放送多重化データ印刷システムにおいて、前記ＴＶ放送受信部は、多重化されて送られてくるＴＶ放送信号と印刷に関するデータとを分離する多重分離部と、プリンタが接続されているか否かを検出するプリンタ接続検出部と、ユーザからの印刷指示を受け付ける印刷指示受信部と、前記プリンタ接続検出部の検出結果を基にプリンタが接続されていることを認識すると前記印刷に関するデータを解析し、印刷対象データの存在を示す情報と印刷対象データを得る印刷データ解析部と、この印刷データ解析部によって得られた印刷対象データの存在を示す情報と前記多重分離部で分離されたＴＶ放送信号とを合成する合成部と、この合成部からの映像データをＴＶモニタに出力する映像出力部と、前記印刷データ解析部からの印刷対象データを受けるとプリンタに対し印刷制御を行うプリンタ制御部とを有した構成としている。
【００１０】
また、請求項４に記載のＴＶ放送多重化データ印刷システムは、ＴＶ放送信号とこのＴＶ放送信号に多重化されて送られてくる印刷に関するデータをＴＶ放送受信部が受信し、前記印刷に関するデータを解析し、その解析結果に基づいて、ＴＶモニタ上に印刷対象データの存在を示す情報を表示し、ユーザからの印刷指示を受けると、前記印刷対象データをプリンタを用いて印刷するＴＶ放送多重化データ印刷システムにおいて、前記ＴＶ放送受信部は、少なくとも、ＴＶ放送信号と印刷に関するデータとを分離する多重分離部を有し、この多重分離部で分離した印刷に関するデータをプリンタ側に渡し、前記プリンタは、ユーザからの印刷指示を受け付ける印刷指示受信部と、前記ＴＶ放送受信部により渡された印刷に関するデータを解析し、印刷対象データの存在を示す情報と印刷対象データを得る印刷データ解析部と、この印刷データ解析部によって得られた印刷対象データの存在を示す情報と前記多重分離部で分離されたＴＶ放送信号とを合成する合成部と、この合成部からの映像データをＴＶモニタに出力する映像出力部と、前記印刷データ解析部からの印刷対象データを受けると印刷処理を行う印刷処理部とを有した構成としている。
【００１１】
また、請求項５に記載のＴＶ放送多重化データ印刷処理プログラムを記録した記録媒体は、ＴＶ放送信号とこのＴＶ放送信号に多重化されて送られてくる印刷に関するデータをＴＶ放送受信部が受信し、前記印刷に関するデータを解析し、その解析結果に基づいて、ＴＶモニタ上に印刷対象データの存在を示す情報を表示し、ユーザからの印刷指示を受けると、前記印刷対象データをプリンタを用いて印刷するＴＶ放送多重化データ印刷処理プログラムを記録した記録媒体であって、そのＴＶ放送多重化データ印刷処理プログラムは、前記ＴＶ放送受信部において、前記多重化されたＴＶ放送信号と印刷処理データとを受信すると、これらのデータを分離する手順と、プリンタが接続されているか否かを検出し、プリンタが接続されていることを検出すると、前記印刷に関するデータを解析し、印刷対象データの存在を示す情報と印刷対象データを得る手順と、これにより得られた印刷対象データの存在を示す情報を前記ＴＶ放送信号に合成して前記ＴＶモニタに出力する手順と、ユーザからの印刷指示を受けると、前記印刷対象データをプリンタに出力する手順とを含むことを特徴としている。
【００１２】
また、請求項６に記載のＴＶ放送多重化データ印刷処理プログラムを記録した記録媒体は、ＴＶ放送信号とこのＴＶ放送信号に多重化されて送られてくる印刷に関するデータをＴＶ放送受信部が受信し、前記印刷に関するデータを解析し、その解析結果に基づいて、ＴＶモニタ上に印刷対象データの存在を示す情報を表示し、ユーザからの印刷指示を受けると、前記印刷対象データをプリンタを用いて印刷するＴＶ放送多重化データ印刷処理プログラムを記録した記録媒体であって、そのＴＶ放送多重化データ印刷処理プログラムは、前記ＴＶ放送受信部においては、前記多重化されたＴＶ放送信号と印刷処理データとを受信すると、ＴＶ放送信号と印刷に関するデータとを分離して、印刷に関するデータを前記プリンタ側に出力する手順を含み、プリンタ側においては、前記ＴＶ放送受信部から渡された印刷に関するデータを解析し、印刷対象データの存在を示す情報と印刷対象データを得る手順と、これにより得られた前記印刷対象データの存在を示す情報を前記ＴＶ放送信号に合成して前記ＴＶモニタに出力する手順と、ユーザからの印刷指示を受けると、前記印刷対象データを印刷処理する手順とを含むことを特徴としている。
【００１３】
このように本発明によれば、 ＴＶ放送受信部にて、プリンタが接続されているか否かを検出し、プリンタが接続されていることを検出したときのみ、印刷対象データの存在を示す情報を前記ＴＶ放送データに合成して前記ＴＶモニタに出力し、ユーザからの印刷指示要求を受けると、前記印刷対象データを前記プリンタに出力するようにしているので、プリンタの接続されていない視聴者のＴＶモニタには、印刷データの存在を示す情報は何等表示されないため、プリンタを接続していないユーザは、印刷データが存在する旨の煩わしい表示をいちいち見ないで済む。
【００１４】
また、ＴＶ放送受信部は、ＴＶ放送データと印刷に関するデータとを分離して、印刷に関するデータを前記プリンタ側に渡し、プリンタ側にて、ＴＶ放送受信部により渡された印刷に関するデータを解析し、印刷対象データの存在を示す情報と印刷対象データを得て、前記印刷対象データの存在を示す情報を前記ＴＶ放送に合成して前記モニタに出力し、ユーザからの印刷指示を受けると、前記印刷対象データを印刷処理する機能を持たせることにより、このプリンタを接続することによって初めて、印刷対象データの存在を示す情報がモニタ上に表示させることができ、これによっても、前述同様、プリンタの接続されていない視聴者のＴＶモニタには、印刷データの有ることを示す情報は何等表示されないため、プリンタを接続していないユーザは、印刷データが存在する旨の煩わしい表示をいちいち見ないで済む。
【００１５】
このように、本発明は、プリンタを持たないユーザのＴＶモニタ上には、そのユーザにとってあまり関係のない印刷に関する画面表示がなされないようにすることで、関係のない画面表示が頻繁になされることによる不快感をユーザに与えないようにすることができる。しかも、このような処理をユーザのＴＶシステム側で行えるので、ＴＶ放送の発信元で、ユーザ側のシステムの状態（プリンタがあるか否かなど）を把握して、それに対応した放送内容を作成して送信するというような繁雑な処理を行わなくても済む。
【００１６】
【発明の実施の形態】
以下、本発明の実施の形態を説明する。なお、この実施の形態では、ＴＶを利用して何らかの商品の宣伝をする場合を想定し、ＴＶ放送信号の映像データと音声データにより、宣伝対象となる商品の紹介を行うとともに、これらのＴＶ放送信号に多重化して、その商品に対応した印刷に関するデータが送信されるものとする。この印刷に関するデータは、商品に関する詳細な情報（印刷対象データという）とその印刷対象データが存在することを示す情報とからなり、印刷対象データは、価格、品質、機能などを示す文字情報だけでなくグラフィック情報も可能であり、たとえば、商品カタログのようなものが一例として考えられる。
【００１７】
（第１の実施の形態）
図１は本発明の第１の実施の形態を説明するシステム構成図であり、大きく分けると、ＴＶモニタ１とＴＶ放送受信部２とにより構成される。
【００１８】
ＴＶ放送受信部２は、ＴＶ放送電波の周波数つまりチャンネルを選択するチューナ部２０、ＴＶ放送信号（映像データと音声データからなる）とこのＴＶ放送信号に多重化された印刷に関するデータとを分離する多重分離部２１、この多重分離部２１により分離された音声データを出力する音声出力部２２、プリンタ３が接続されているか否かを検出するプリンタ接続検出部２３、ユーザからの印刷指示要求を受け付ける印刷指示受信部２４、前記プリンタ接続検出部２３の状態を見に行ってプリンタが接続されていることを認識すると前記印刷に関するデータを解析し、印刷対象データの存在を示す情報と印刷対象データを得る印刷データ解析部２５、この印刷データ解析部２５によって得られた印刷対象データの存在を示す情報と前記多重分離部２２で分離された映像データとを合成する映像合成部２６、この映像合成部２６からの映像データをＴＶモニタ１に出力する映像出力部２７、前記印刷データ解析部２５からの印刷対象データを受けるとプリンタ３を起動し印刷制御を行うプリンタ制御部２８を有した構成となっている。
【００１９】
このような構成において、具体的な例について説明する。前述したように、ここでは、 ＴＶ放送を利用して何らかの商品の宣伝をする場合を想定する。今、ＴＶ放送信号の映像データと音声データによって、ＴＶモニタ１に宣伝対象となる商品の映像が映し出されるとともに、音声によりその商品についての説明がなされている。同時に、これらのＴＶ放送信号に多重化された印刷に関するデータが印刷データ解析部２５に送られる。
【００２０】
このとき、印刷データ解析部２５は、プリンタ接続検出部２３の状態を見に行ってプリンタ３が接続されているか否かを判断する。このとき、プリンタ３が接続されているとすれば、それを認識して、多重分離部２１で分離された印刷に関するデータを解析する。この印刷に関するデータは、たとえば、図２に示すように、ＨＴＭＬ（Hyper Text  Markup Language）に準じた言語より記述されている。
【００２１】
図２において、タグ＜print_system＞とタグ＜/print_system＞で囲まれた部分が処理する範囲である。このタグ＜print_system＞とタグ＜/print_system＞で囲まれた部分は、プリンタ３が接続されている場合のみ処理されるものであり、印刷データ解析部２５は、プリンタ３が接続されていることをと認識すると、タグ＜print_display＞とタグ＜/print_display＞で囲まれた部分、つまり、この場合、「Press " Print"，then  catalog  will  be  printed  out」を映像合成部２６に渡す。映像合成部２６ではこの「Press " Print"，then  catalog  will  be  printed  out」を多重分離部２１で分離されたＴＶ放送信号の映像データと合成する。その合成された映像データは、映像出力部２７によりＴＶモニタ１に映し出される。
【００２２】
図３はＴＶモニタ１に映し出された内容を示すものである。図３の例では、宣伝対象である商品１１の画像と、その商品１１に対して印刷対象データの存在を示す情報１２として、たとえば、「Press " Print"，then  catalog  will  be  printed  out」といった情報が示される。
【００２３】
ユーザはこの印刷対象データの存在を示す情報１２を見て、詳しい情報が欲しい場合、印刷指示要求を入力する。これにより、印刷指示受信部２４はユーザからの印刷指示要求を受信し、それを印刷データ解析部２５に知らせる。印刷データ解析部２５はユーザから印刷指示要求があったことを認識し、印刷対象データをプリンタ制御部２８に送る。
【００２４】
この印刷対象データは図２のタグ＜print_document＞とタグ＜/ print_document＞で囲まれた部分であり、この場合、「Fashion  Catalog」、「Discount  price  is  ＄３００」などというような内容である。なお、この印刷対象データとしては、本来、もっと詳細な情報、すなわち、商品が衣料品であれば、生地の品質、サイズの種類、色の種類など様々な情報からなるいわゆる、商品カタログ的な情報であるが、ここでは、説明を簡単にするために、簡略化した内容としている。
【００２５】
このような印刷対象データは、印刷データ解析部２５によってプリンタ制御部２８に渡され、プリンタ制御部２８によってプリンタ３が制御され印刷が開始する。これにより、プリンタ３からは「Fashion  Catalog」、「Discount  price  is  ＄３００」といった情報がプリントアウトされる。
【００２６】
図４はこの第１の実施の形態の処理手順を説明するフローチャートである。これまでの説明と重複する部分も多いが、このフローチャートを用いてさらに説明する。まず、チューナ部２０によって好みのチャネルを選択する（ステップｓ１）。そして、多重分離部２１によって映像データ、音声データ、印刷に関するデータを分離する（ステップｓ２）。ここで分離された映像データは映像合成部２６へ、音声データは音声出力部２２へ、印刷に関するデータは印刷データ解析部２５へそれぞれ送られる。
【００２７】
次に、印刷データ解析部２５はプリンタ接続検出部２３の状態を見に行ってプリンタ３が接続されているか否かを確認する（ステップｓ３）。ここで、プリンタが接続されていれば（ステップｓ４）、印刷データ解析部２５は印刷に関するデータを解析し（ステップｓ５）、印刷に関するデータを受信したか否かを判断する（ステップｓ６）。印刷に関するデータを受信していれば、まず、印刷対象データの存在を示す情報として、前述したように、たとえば、「Press " Print"，then  catalog  will  be  printed  out」といった内容を映像合成部２６に渡す（ステップｓ７）。
【００２８】
映像合成部２６ではこのような内容をＴＶ放送の映像データに合成してそれを映像出力部２７に送る（ステップｓ８）。
【００２９】
そして、印刷指示受信部２４がユーザからの印刷指示要求を受信したか否かを判断し（ステップｓ９）、印刷指示要求を受信すると印刷データ解析部２５に印刷指示を出す（ステップｓ１０）。これを受けて印刷データ解析部２５はプリンタ制御部２８に印刷データを渡し（ステップｓ１１）、プリンタ制御部２８がプリンタ３を制御し、これにより印刷が開始する（ステップｓ１２）。
【００３０】
このように、ユーザ側のＴＶシステムにプリンタが接続されている場合のみに、印刷対象データの存在を示す情報をＴＶモニタ１に表示し、それを見たユーザが印刷指示要求を入力すると、印刷対象データがプリンタ３からプリントアウトされる。
【００３１】
したがって、プリンタの接続されていないユーザのＴＶモニタ１には、印刷対象データの有ることを示す情報は何等表示されず、もともとのＴＶ放送のみが放映される。すなわち、この例では、商品１１に対する映像がＴＶモニタ１に映し出されるとともに音声による説明がなされるのみであり、印刷対象データが存在することを示す情報は表示されない。
【００３２】
つまり、プリンタ３が接続されていない場合は、プリンタ接続検出部２３によって、プリンタ３が接続されていないことが検出されるため、印刷データ解析部２５がそれを認識して、多重分離部２１によって分離された印刷に関するデータを受け取っても、その印刷に関するデータに対して前述したような処理（図４におけるステップｓ５からステップｓ１２の処理）を行わない。
【００３３】
したがって、プリンタ３の接続されていないユーザのＴＶモニタには、印刷対象データの存在を示す情報は何等表示されないため、プリンタを接続していないユーザは、印刷対象データが存在する旨の煩わしい表示をいちいち見ないで済み、プリンタを接続しないユーザにとってあまり関係のない表示がなされることによる不快感を与えることがなくなる。
【００３４】
しかも、このような処理をユーザのＴＶシステム側で行えるので、ＴＶ放送の発信元で、多数のユーザ側のシステムの状態（プリンタがあるか否かなど）を把握して、それに対応した放送内容を作成して送信するというような繁雑な処理を行わなくても済む。
【００３５】
なお、この第１の実施の形態においては、ＴＶ放送受信部２は、ＴＶモニタ１と一体化した構成としてもよく、また、一般に用いられているＳＴＢ（セットボックス）あるいはＩＲＤ（integrated  receiver  decoder）と呼ばれるＴＶ装置と別個に設けられる機器として構成してもよい。
【００３６】
（第２の実施の形態）
この第２の実施の形態は、前述した受信データ解析部、映像合成部、映像出力部、印刷指示受信部をプリンタ３に設けた例である。
【００３７】
図５は第２の実施の形態を説明するシステム構成図であり、ＴＶモニタ１、 ＴＶ放送受信部２、プリンタ３からなり、この場合、 ＴＶ放送受信部２は、少なくとも、前述したチューナ部２０、多重分離部２１、音声出力部２２を有したものとなっている。このＴＶ放送受信部２は、前述の第１の実施の形態同様、ＴＶモニタ１と一体化されたものでもよく、また、ＴＶ装置とは別個に設けられるききであってもよい。
【００３８】
プリンタ３は、ＴＶ放送受信部２の多重分離部２１によって分離された映像データを入力する映像データ入力部３０、同様に多重分離部２１によって分離された印刷に関するデータを入力する印刷データ入力部３１、ユーザからの印刷指示を受け付ける印刷指示受信部３２、前記ＴＶ放送受信部２により印刷データ受信部３１を介して渡された印刷に関するデータを解析し、印刷対象データの存在を示す情報と印刷対象データとを得る印刷データ解析部３３、この印刷データ解析部３３によって得られた印刷対象データの存在を示す情報と前記多重分離部２１で分離された映像データとを合成する映像合成部３４、この映像合成部３４からの映像データをＴＶモニタ１に出力する映像出力部３５、前記印刷データ解析部３３からの印刷対象データを受けて印刷処理を行う印刷処理部３６、給紙トレ３７、排紙トレイ３８などを有した構成となっている。なお、これらの構成要素以外にもプリンタとしての機能を果たすための様々な構成要素が存在するが本発明を説明する上で直接関係しない部分についての説明は省略する。
【００３９】
このような構成において、具体的な例について説明する。まず、このような構成のプリンタ３をユーザのＴＶシステムの１つとして接続する。この場合、図５に示すように、ＴＶ放送受信部２で分離された映像データが映像データ入力部３０に入力されるように、また、印刷に関するデータが印刷データ入力部３１に入力されるように接続し、さらに、プリンタ３の映像出力部３５からの映像信号がＴＶモニタ１に出力されるように接続する。
【００４０】
前述の第１の実施の形態同様、ＴＶ放送を利用して何らかの商品の宣伝をする場合について説明する。今、ＴＶ放送信号の映像データと音声データによって、ＴＶモニタ１に宣伝対象となる商品の映像が映し出されるとともに、音声によりその商品についての説明がなされている。同時に、このＴＶ放送信号に多重化された印刷に関するデータがＴＶ放送受信部２の多重分離部２１で分離されたのち、印刷データ入力部３１を介して印刷データ解析部３３に送られる。
【００４１】
印刷データ解析部３３は、送られて来た印刷に関するデータを解析する。この印刷に関するデータは、たとえば、図２に示すように、ＨＴＭＬに準じた言語より記述されている。
【００４２】
図２において、タグ＜print_system＞とタグ＜/print_system＞で囲まれた部分が処理する範囲を示している。そして、受信データ解析部２７は、印刷対象データの存在を示す情報として、タグ＜print_display＞とタグ＜/print_display＞で囲まれた部分、つまり、この場合、「Press " Print"，then  catalog  will  be  printed  out」を映像合成部３４に渡す。映像合成部３４ではこの「Press " Print"，then  catalog  will  be  printed  out」をＴＶ放送受信部２にて分離された映像データと合成する。その合成された映像データは、映像出力部３５によりＴＶモニタ１に送られ、ＴＶモニタ１上に映し出される。
【００４３】
図３はＴＶモニタ１に映し出された内容を示すものである。図３の例では、宣伝対象である商品１１の画像と、その商品１１に対して印刷対象データが存在することを示す情報（「Press " Print"，then  catalog  will  be  printed  out」）１２が示される。
【００４４】
ユーザはこの情報１２を見て、詳しい情報が欲しい場合、印刷指示要求を入力する。これにより、印刷指示受信部３２はその印刷指示要求を受信し、印刷データ解析部３３に知らせる。印刷データ解析部３３は印刷指示があったことを認識すると、印刷対象データを印刷処理部３６に送る。このときの印刷対象データは図２のタグ＜print_document＞とタグ＜/ print_document＞で囲まれた部分であり、この場合、「Fashion  Catalog」、「Discount  price  is  ＄３００」などというような内容である。
【００４５】
印刷処理部３６では、給紙トレイ３７から給紙された印刷用紙に印刷処理を行ったのち排紙トレイ３８に排紙する。
【００４６】
図６は以上説明したこの第２の実施の形態の処理手順を説明するフローチャートである。これまでの説明と重複する部分も多いがこのフローチャートを用いてさらに説明する。まず、ＴＶ放送受信部２によって好みのチャネルを選択する（ステップｓ２１）。そして、多重分離部２１によって、映像データ、音声データ、印刷に関するデータを分離する（ステップｓ２２）。ここで分離された映像データは映像データ入力部３０を介して映像合成部３４へ、音声データは音声出力部２２へ、印刷に関するデータは印刷データ入力部３１を介して印刷データ解析部３３へそれぞれ送られる。
【００４７】
次に、印刷データ解析部３３は印刷に関するデータを解析し（ステップｓ２３）、印刷に関するデータを受信したか否かを判断する（ステップｓ２４）。印刷に関するデータを受信していれば、まず、印刷対象データの存在を示す情報として、前述したように、たとえば、「Press " Print"，then  catalog  will  be  printed  out」といった内容を映像合成部３４に渡す（ステップｓ２５）。
【００４８】
映像合成部３４ではこのような内容をＴＶ放送信号の映像データに合成してそれを映像出力部３５に送る（ステップｓ２６）。
【００４９】
そして、印刷指示受信部３２がユーザからの印刷指示要求を受信したか否かを判断し（ステップｓ２７）、印刷指示要求を受信すると印刷データ解析部３３に印刷指示を出す（ステップｓ２８）。これを受けて印刷データ解析部３３は印刷処理部３６に印刷対象データを渡し（ステップｓ２９）、印刷処理部３６が印刷処理を行う（ステップｓ３０）。
【００５０】
以上の処理はユーザ側のＴＶシステムにプリンタ３が接続されている場合のみに行われるものである。すなわち、この第２の実施の形態で示したプリンタ３が接続されている場合に限って、印刷対象データの存在を示す情報をＴＶモニタ１に表示し、それを見たユーザが印刷指示を入力すると、印刷対象データがプリンタ３からプリントアウトされる。
【００５１】
したがって、プリンタの接続されていないユーザのＴＶモニタ１には、印刷対象データの存在を示す情報は何等表示されず、もともとのＴＶ放送のみが放映される。すなわち、この例では、商品１１に対する映像がＴＶモニタ１に映し出されるとともに音声による説明がなされるのみであり、印刷対象データが存在することを示す情報は表示されない。
【００５２】
つまり、プリンタ３が接続されていない場合は、多重分離部２１によって分離された印刷に関するデータに対して前述したような処理（図６におけるステップｓ２３からステップｓ３０の処理）を行わない。
【００５３】
これにより、プリンタ３の接続されていない視聴者のＴＶモニタ１には、印刷対象データの存在を示す情報は何等表示されないため、プリンタ３を接続していないユーザは、印刷対象データが存在する旨の煩わしい表示をいちいち見ないで済み、プリンタを接続しないユーザにとってあまり関係のない表示がなされることによる不快感を与えることがなくなる。
【００５４】
しかも、このような処理をユーザ側のＴＶシステム側で行えるので、ＴＶ放送の発信元で、多数のユーザのシステムの状態（プリンタがあるか否かなど）を把握して、それに対応した放送内容を作成して送信するというような繁雑な処理を行わなくても済む。
【００５５】
なお、以上説明した第１及び第２の実施の形態において、印刷データ解析部２５（第２の実施の形態では、印刷データ解析部３３）が、印刷に関するデータ中のタグ＜print_system＞とタグ＜/print_system＞で囲まれた部分がいつまで有効であるかをどのように認識するかということも課題となる。つまり、ＴＶ放送は時系列的に変化するため、それに対応した印刷に関するデータを構成する必要があるからである。
【００５６】
これに対処するためには、印刷に関するデータ中に、ＴＶ放送の内容に同期させて、タグ＜print_system_cancel＞、タグ＜/print_system_cancel＞を記述することにより解決できる。すなわち、印刷データ解析部２５（第２の実施の形態では、印刷データ解析部３３）は、タグ＜print_system_cancel＞、タグ＜/print_system_cancel＞を受信すると、それよりも時系列的に前に受信した印刷に関するデータを無効とする。
【００５７】
また、タグ＜print_document＞とタグ＜/ print_document＞で囲まれた部分は、ＵＲＬ（Uniform  Resource  Locator）を用いて記述されることも可能である。この場合、ユーザのＴＶシステムにおいて、Ｗｅｂサーバにアクセス可能な手段を設けることで印刷データを取り込んで印刷することができる。
【００５８】
なお、本発明は以上説明した実施の形態に限定されるものではなく、本発明の要旨を逸脱しない範囲で種々変形実施可能となるものである。また、以上説明した本発明の処理を行う処理プログラムは、フロッピィディスク、光ディスク、ハードディスクなどの記録媒体に記録させておくことができ、本発明はその記録媒体をも含むものである。また、ネットワークから処理プログラムを得るようにしてもよい。
【００５９】
【発明の効果】
以上説明したように本発明によれば、ＴＶ放送受信部にて、プリンタが接続されているか否かを検出し、プリンタが接続されていることを検出したときのみ、印刷対象データの存在を示す情報を前記ＴＶ放送信号に合成して前記ＴＶモニタに出力し、ユーザからの印刷指示要求を受けると、前記印刷対象データを前記プリンタに出力するようにしているので、プリンタの接続されていない視聴者のＴＶモニタには、印刷データの存在を示す情報は何等表示されないため、プリンタを接続していないユーザは、印刷データが存在する旨の煩わしい表示をいちいち見ないで済み、プリンタを接続していないユーザにとってあまり関係のない表示がなされることによる不快感を与えるのを防止することができる。
【００６０】
また、ＴＶ放送受信部は、ＴＶ放送信号と印刷に関するデータとを分離して、印刷に関するデータを前記プリンタ側に渡し、プリンタ側にて、ＴＶ放送受信部により渡された印刷に関するデータを解析し、印刷対象データの存在を示す情報と印刷対象データを得て、前記印刷対象データの存在を示す情報を前記ＴＶ放送に合成して前記モニタに出力し、ユーザからの印刷指示を受けると、前記印刷対象データを印刷処理する機能を持たせることにより、このプリンタを接続することによって初めて、印刷対象データの存在を示す情報がモニタ上に表示させることができ、これにより、プリンタの接続されていない視聴者のＴＶモニタには、印刷データの有ることを示す情報は何等表示されないため、前述同様、プリンタを接続していないユーザは、印刷データが存在する旨の煩わしい表示をいちいち見ないで済み、プリンタを接続していないユーザにとってあまり関係のない表示がなされることによる不快感を与えるのを防止することができる。
【００６１】
このように、本発明は、プリンタを持たないユーザのＴＶモニタ上には、そのユーザにとって関係のない印刷に関する表示がなされないようにすることで、関係のない画面表示が頻繁になされることによる不快感をユーザに与えることがなくなる。しかも、このような処理をユーザのＴＶシステム側で行えるので、ＴＶ放送の発信元で、多数のユーザ側のシステムの状態（プリンタがあるか否かなど）を把握して、それに対応した放送内容を作成して送信するというような繁雑な処理を行わなくても済む。
【図面の簡単な説明】
【図１】本発明の第１の実施の形態を説明するシステム構成図。
【図２】本発明の実施の形態において用いられる印刷に関するデータをＨＴＭＬに準拠した 形式で記述した例を示す図。
【図３】本発明の実施の形態におけるＴＶモニタに表示される映像例を示す図。
【図４】本発明の第１の実施の形態の処理手順を説明するフローチャート。
【図５】本発明の第２の実施の形態を説明するシステム構成図。
【図６】本発明の第２の実施の形態の処理手順を説明するフローチャート。
【符号の説明】
１  ＴＶモニタ
２  ＴＶ放送受信部
３  プリンタ
２０  チューナ部
２１  多重分離部
２２  音声出力部
２３  プリンタ接続検出部
２４，３２  印刷指示受信部
２５，３３  印刷データ解析部
２６，３４  映像合成部
２７，３５  映像出力部
２８  プリンタ制御部
３０  映像データ入力部
３１  印刷データ入力部
３６  印刷処理部
３７  給紙トレイ
３８  排紙トレイ
【図１】
0003684818.tif 000002
【図２】
0003684818.tif 000003
【図３】
0003684818.tif 000004
【図４】
0003684818.tif 000005
【図５】
0003684818.tif 000006
【図６】
0003684818.tif 000007